(57)【要約】
【課題】　受信機を収容できる無線入力装置の提供。
【解決手段】　ベース、ソケット、係止部及び命令入力部で組成され、命令入力部はベース上に位置決めされ、且つベースに第１収容空間と該第１収容空間の一側の第２収容空間があり、第１収容空間内にソケットが枢設され、並びにソケットが第１収容空間内で回転可能とされ、第２収容空間に係止部が枢設され、ソケットに受信機を挿置し並びに第１収容空間内に収容でき係止部により係止することができ、これにより占用体積を減らし、携帯に便利で収納しやすい機能を達成した。
【選択図】　　　　図１
0003100160.tif 000002
【実用新案登録請求の範囲】
【請求項１】
　ベース、ソケット、係止部、命令入力部及び基板で組成され、
　該ベースに第１収容空間が設けられ、並びに第１収容空間の一側に第２収容空間が設けられ、且つ第１収容空間と第２収容空間が連通状態を形成し、
　該ソケットは第１収容空間内に枢設され、並びに第１収容空間内を回転移動可能とされ、
　該係止部は第２収容空間内に枢設され、且つ係止部に基部が設けられ、該基部より係合部が延伸され、並びに係止部の係合部が第２収容空間外に伸出し、且つ第１収容空間内に位置し、
　該命令入力部に複数の押しボタンが設けられ、該命令入力部が基部上に位置決めされ、　該基板は該ベースと該命令入力部の間に設けられ、且つ該基板上にマイクロスイッチが固定され、
　該ソケットが受信機の挿入後に第１収容空間内に収納され、並びに係止部により係止位置決め状態が形成されることを特徴とする、受信機を収容できる無線入力装置。
【請求項２】
　請求項１記載の受信機を収容できる無線入力装置において、ベースの第１収容空間の側壁に枢設孔が設けられ、且つソケットに枢軸が凸設され、ソケットの枢軸が第１収容空間の枢設孔内に枢設され、並びにソケットが枢軸を中心として軸方向回転可能とされたことを特徴とする、受信機を収容できる無線入力装置。
【請求項３】
　請求項２記載の受信機を収容できる無線入力装置において、ソケットの枢軸に軸方向に貫通する穿孔が設けられ、且つ枢軸の中央に切欠きが設けられ、枢軸の穿孔に弾性手段を套設した軸棒が挿入されて位置決めされ、並びに弾性手段が切欠き内に収容されることを特徴とする、受信機を収容できる無線入力装置。
【請求項４】
　請求項１記載の受信機を収容できる無線入力装置において、ベースの第１収容空間外側に案内片が延設され、且つソケットの一側に案内柱が凸設され、ソケットが第１収容空間内で回転する時、ソケットの案内柱が第１収容空間の案内片上をスライドし、案内柱を基板のマイクロスイッチに圧接させて停電を形成させられることを特徴とする、受信機を収容できる無線入力装置。
【請求項５】
　請求項１記載の受信機を収容できる無線入力装置において、係止部の基部の二側に上向きに翼片が延設され、且つ翼片の上端に固定軸が凸設され、第２収容空間の二側壁に穿孔が設けられ、係止部の固定軸が挿通され位置決めされたことを特徴とする、受信機を収容できる無線入力装置。
【請求項６】
　請求項１記載の受信機を収容できる無線入力装置において、係止部の基部の表面に位置決め柱が凸設され、弾性手段が該位置決め柱に套設され、弾性手段が第２収容空間の底部と係止部の基部の間に保持されたことを特徴とする、受信機を収容できる無線入力装置。
【請求項７】
　請求項１記載の受信機を収容できる無線入力装置において、ソケットに挿入溝が設けられ、且つ挿入溝内に保持部が延設されたことを特徴とする、受信機を収容できる無線入力装置。
【請求項８】
　請求項１記載の受信機を収容できる無線入力装置において、入力装置がマウス、キーボード或いはジョイスティック、或いはその他の入力機能を具えたハードウエア装置とされたことを特徴とする、受信機を収容できる無線入力装置。
【考案の詳細な説明】
【技術分野】
【０００１】
　本考案は一種の受信機を収容できる無線入力装置に係り、特に、入力装置が入力信号を受信機に伝送し、且つ該入力装置が受信機を収納でき、並びに係止部により位置決め状態を形成できる無線入力装置に関する。
【背景技術】
【０００２】
　現在、コンピュータの入力装置はキーボードとマウスの使用率が最も高く、マウスはキーボードのカーソルキーの代わりに指標を移動させるのに用いられる入力装置である。現在のコンピュータオペレーションシステム中にあって、マウスはすでに不可欠な配備となっており、多くのアプリケーションプログラムはマウスが無ければ実行できない。マウスは機械式と光学式の二種類に分けられ、前者は使用者がそれを移動させることで、地面に接触するボールを駆動し、移動信号をコンピュータに伝送する。後者は光線反射の原理を利用して移動の信号を検出する。コンピュータテクノロジーの日々の進歩に伴いマウスもまた有線の形式から徐々に無線の形態に切り換えられ、並びに使用者の要求によりノートブック型コンピュータ或いはその他のコンピュータに任意に使用できるものとされ、一般の入力装置とは異なり有線接続を考慮する必要がなく、このためケーブルの整理の問題を発生しない。このような無線リモートコントロールの形態はその他の入力装置（例えばキーボード、ジョイスティック及びタブレット等）にも発展している。さらに、上述の入力装置はいずれもコンピュータの受信機に挿入される受信機と電池を利用して電源供給する入力装置で組成され（図８参照）、その発生する入力信号が受信機に送られる。しかし、上述の無線通信装置は以下のような欠点を有している。
　１．受信機は長期にコンピュータに挿入され、一定の空間を占用し、また、受信機を取り外すと収納時の体積が大き過ぎ、使用者に不便をもたらし、且つ製造者にとっては過大の包装により製造コストが増加した。
　２．周知の無線入力装置は使用時或いは不使用時に関わらず、ツーパーツ式の独立した設計とされ、ゆえに使用者が携帯或いは収納するのに非常に不便であり、且つ遺失しやすく、また受信機が外力の衝突により損壊して使用不能となることがある。
【考案の開示】
【考案が解決しようとする課題】
【０００３】
　ゆえに本考案は、このような入力装置の特性と上述の従来の物品の欠点を鑑み、受信機を収容できる無線入力装置を提供するものである。
【０００４】
　本考案の主要な目的は、入力装置にあって、不使用時に受信機をコンピュータより取り外してソケット内に収容できるようにし、並びにソケットを回して受信機を第１収容空間内に収容し、並びに第２収容空間に枢設された係止部により位置決めできるようにし、これにより有効に占用体積を減らし、着脱を容易とし且つ位置決めを確実に行なえるようにする機能を達成することにある。
【０００５】
　本考案の次の目的は、受信機の挿入部をソケットの挿入溝内に挿入した後に、挿入溝内の保持部により挿入部の凹溝内を係止させ、安定した位置決め状態を形成できるようにすることにある。
【０００６】
　本考案の別の目的は、受信機を完全にベースの第１収容空間に収容した時に、ソケットの案内柱が同時に基板上のマイクロスイッチを圧迫して停電状態を形成するようにし、これにより有効に電源の損耗を減らすことにある。
【課題を解決するための手段】
【０００７】
　請求項１の考案は、ベース、ソケット、係止部、命令入力部及び基板で組成され、
　該ベースに第１収容空間が設けられ、並びに第１収容空間の一側に第２収容空間が設けられ、且つ第１収容空間と第２収容空間が連通状態を形成し、
　該ソケットは第１収容空間内に枢設され、並びに第１収容空間内を回転移動可能とされ、
　該係止部は第２収容空間内に枢設され、且つ係止部に基部が設けられ、該基部より係合部が延伸され、並びに係止部の係合部が第２収容空間外に伸出し、且つ第１収容空間内に位置し、
　該命令入力部に複数の押しボタンが設けられ、該命令入力部が基部上に位置決めされ、　該基板は該ベースと該命令入力部の間に設けられ、且つ該基板上にマイクロスイッチが固定され、
　該ソケットが受信機の挿入後に第１収容空間内に収納され、並びに係止部により係止位置決め状態が形成されることを特徴とする、受信機を収容できる無線入力装置としている。
　請求項２の考案は、請求項１記載の受信機を収容できる無線入力装置において、ベースの第１収容空間の側壁に枢設孔が設けられ、且つソケットに枢軸が凸設され、ソケットの枢軸が第１収容空間の枢設孔内に枢設され、並びにソケットが枢軸を中心として軸方向回転可能とされたことを特徴とする、受信機を収容できる無線入力装置としている。
　請求項３の考案は、請求項２記載の受信機を収容できる無線入力装置において、ソケットの枢軸に軸方向に貫通する穿孔が設けられ、且つ枢軸の中央に切欠きが設けられ、枢軸の穿孔に弾性手段を套設した軸棒が挿入されて位置決めされ、並びに弾性手段が切欠き内に収容されることを特徴とする、受信機を収容できる無線入力装置としている。
　請求項４の考案は、請求項１記載の受信機を収容できる無線入力装置において、ベースの第１収容空間外側に案内片が延設され、且つソケットの一側に案内柱が凸設され、ソケットが第１収容空間内で回転する時、ソケットの案内柱が第１収容空間の案内片上をスライドし、案内柱を基板のマイクロスイッチに圧接させて停電を形成させられることを特徴とする、受信機を収容できる無線入力装置としている。
　請求項５の考案は、請求項１記載の受信機を収容できる無線入力装置において、係止部の基部の二側に上向きに翼片が延設され、且つ翼片の上端に固定軸が凸設され、第２収容空間の二側壁に穿孔が設けられ、係止部の固定軸が挿通され位置決めされたことを特徴とする、受信機を収容できる無線入力装置としている。
　請求項６の考案は、請求項１記載の受信機を収容できる無線入力装置において、係止部の基部の表面に位置決め柱が凸設され、弾性手段が該位置決め柱に套設され、弾性手段が第２収容空間の底部と係止部の基部の間に保持されたことを特徴とする、受信機を収容できる無線入力装置としている。
　請求項７の考案は、請求項１記載の受信機を収容できる無線入力装置において、ソケットに挿入溝が設けられ、且つ挿入溝内に保持部が延設されたことを特徴とする、受信機を収容できる無線入力装置としている。
　請求項８の考案は、請求項１記載の受信機を収容できる無線入力装置において、入力装置がマウス、キーボード或いはジョイスティック、或いはその他の入力機能を具えたハードウエア装置とされたことを特徴とする、受信機を収容できる無線入力装置としている。
【考案の効果】
【０００８】
　本考案は、入力装置にあって、不使用時に受信機をコンピュータより取り外してソケット内に収容できるようにし、並びにソケットを回して受信機を第１収容空間内に収容し、並びに第２収容空間に枢設された係止部により位置決めできるようにし、これにより有効に占用体積を減らし、着脱を容易とし且つ位置決めを確実に行なえるようにする機能を達成している。
【０００９】
　本考案は、受信機の挿入部をソケットの挿入溝内に挿入した後に、挿入溝内の保持部により挿入部の凹溝内を係止させ、安定した位置決め状態を形成できるようにしている。
【００１０】
　本考案は、受信機を完全にベースの第１収容空間に収容した時に、ソケットの案内柱が同時に基板上のマイクロスイッチを圧迫して停電状態を形成するようにし、これにより有効に電源の損耗を減らしている。
【考案を実施するための最良の形態】
【００１１】
　図１、２は本考案の分解斜視図及び斜視図である。図示されるように、本考案の入力装置１は、ベース１１、ソケット１２、係止部１３、命令入力部１４及び基板１５で組成されている。以下に本考案の構造について詳しく説明する。
【００１２】
　該ベース１１には第１収容空間１１１が設けられ、並びに第１収容空間１１１の一側に第２収容空間１１２が設けられ、且つ第１収容空間１１１と第２収容空間１１２は連通状態を形成している。第１収容空間１１１は側壁に枢設孔１１１１を具え、並びに外側に円弧状案内片１１１２が延設されている。さらに、上述の第２収容空間１１２の二側壁に貫通孔１１２１が形成されている。
【００１３】
　該ソケット１２の中央には貫通する挿入溝１２１が設けられ、且つソケット１２の内側に保持部１２１１が延設され（図５参照）、並びにソケット１２の両側壁に枢軸１２２が凸設され、且つ枢軸１２２に軸方向に貫通する穿孔１２２１が設けられ、並びに枢軸１２２の中央に切欠き１２２２が設けられている。さらに、該ソケット１２の一側の表面に案内柱１２３が凸設されている。
【００１４】
　該係止部１３には基部１３１が設けられ、該基部１３１より係合部１３１１が延伸され、並びに基部１３１の二側に上向きに翼片１３２が延設され、且つ翼片１３２上端に固定軸１３２１が横向きに凸設されている。さらに上述の係止部１３の基部１３１の表面に位置決め柱１３３が凸設されている。
【００１５】
　該命令入力部１４には複数の押しボタン１４１が設けられている。
【００１６】
　該基板１５の上にはマイクロスイッチ１５１が固定されている。
【００１７】
　以上の部品を組み合せる時、先に弾性手段２に通した軸棒３をソケット１２の枢軸１２２を貫通する穿孔１２２１内に挿入し、弾性手段２を枢軸１２２中央に設けた切欠き１２２２中に収容し、続いてソケット１２を両側表面に設けた枢軸１２２でベース１１の第１収容空間１１１の側壁に設けられた枢設孔１１１１内に枢設し、且つソケット１２の案内柱１２３をベース１１の第１収容空間１１１の外側に延設した案内片１１１２上に当接させ、これによりソケット１２を枢軸１２２を軸心として軸方向に回転可能とし、並びに弾性手段２を圧迫してソケット１２に弾性回復力を付与する。さらに、係止部１３の翼片１３２に凸設された固定軸１３２１を第２収容空間１１２の穿孔１１２１内に通し、並びに弾性手段４を係止部１３の位置決め柱１３３に套設し、弾性手段４を第２収容空間１１２の底部と係止部１３の基部１３１の間に設置し、且つ基部１３１より延伸された係合部１３１１を第２収容空間１１２外に伸出させ、且つ第１収容空間１１１内に位置させる。続いて命令入力部１４をベース１１の上に位置決めし、並びに上述の基板１５を基部１３１と命令入力部１４の間に枢設すれば本考案の全体の組立が完成する。
【００１８】
　続いて、図３から図１２を参照されたい。図３は本考案の受信機が入力装置に収納される前の側面断面図、図４は本考案の受信機が入力装置に収納される前の正面断面図、図５は受信機が入力装置に収納される前の平面断面図、図６は受信機が入力装置に収納される時の側面断面図、図７は受信機が入力装置に収納される時の正面断面図、図８は受信機がソケットに挿入された後の平面断面図、図９は受信機が入力装置に収納された後の側面断面図、図１０は受信機が入力装置に収納された後の正面断面図、図１１は本考案の好ましい実施例の斜視図、図１２は本考案のもう一つの実施例の斜視図である。これらの図に示されるように、入力装置１の不使用時に、受信機５をコンピュータ６より取り外し、並びに受信機５の挿入部５１をソケット１２の挿入溝１２１内に挿入できる。この時、挿入溝１２１内の保持部１２１１は挿入部５１の凹溝５１１内を弾性保持する。続いて使用者が受信機５を内向きに回せば、受信機５がソケット１２を駆動して枢軸１２２を軸心として軸方向回転させ、並びに弾性手段２を案箔させてソケット１２が弾性回復力を具備する。続いて使用者が受信機５を回すと、受信機５の表面が係止部１３の係合部１３１１に係止され、並びに係止部１３が固定軸１３２１を軸心として弾性移動し、並びに受信機５が完全にベース１１の第１収容空間１１１に収容された後に、上述のソケット１２の案内柱１２３が基板１５上のマイクロスイッチ１５１を圧迫して停電状態を形成する。並びに係止部１３が弾性手段４の弾性回復力により、係止部１３が固定軸１３２１を中心としてもとの位置に回復し、このとき係止部１３の係合部１３１１が受信機５の表面を保持し、位置決め状態を形成し脱出防止する。こうして電源を節約し、収納に便利で、場所を占有せず、且つ位置決めが確実な機能を達成する。
【００１９】
　さらに、使用者が入力装置１を使用したい時は、係止部１３を押圧して固定軸１３２１を軸心として弾性移動させ、並びに係止部１３の係合部１３１１を受信機５に対する圧接状態より離脱させ、これによりソケット１２を弾性手段２の弾性回復力により、枢軸１２２を軸心として軸方向回転させ、ソケット１２の案内柱１２３を基板１５のマイクロスイッチ１５１より離脱させて通電を形成し、並びに受信機５に基板１５の第１収容空間１１１より脱出させ、これにより使用者が受信機５をソケット１２の挿入溝１２１内より抜き取って並びにコンピュータ６の連接ポート６１に挿入して命令入力の実行に供することができる。
【００２０】
　本考案の受信機を収容できる無線入力装置は、各種の入力装置の使用に適用可能で、マウス、キーボード及びジョイスティック等多種類のコンピュータの入力装置できる。以上の実施例は本考案の実施範囲を限定するものではなく、本考案に基づきなしうる細部の修飾或いは改変は、いずれも本考案の請求範囲に属するものとする。
【００２１】
　本考案の優れたところは以下のとおりである。
　１．入力装置１は不使用時に、受信機５をコンピュータ６より取り外してソケット１２内に収容でき、並びにソケット１２を回して受信機５を第１収容空間１１１内に収容でき、並びに第２収容空間１１２に枢設された係止部１３により位置決め状態を形成でき、これにより有効に占用体積を減らし、着脱が容易で、位置決めが確実な機能を達成する。
　２．本考案は受信機５の挿入部５１がソケット１２の挿入溝１２１内に挿入された後、挿入溝１２１内の保持部１２１１により挿入部５１の凹溝５１１内が係止され、安定した位置決め状態を形成できる。
　３．本考案は受信機５が完全にベース１１の第１収容空間１１１に収容される時、ソケット１２の案内柱１２３が同時に基板１５上のマイクロスイッチ１５１を圧迫して停電状態を形成し、これにより電源の損耗を有効に減少できる。
【００２２】
　総合すると、本考案の上述の受信機を収容できる無線入力装置は、使用時に確実に予期された機能と目的を達成する。ゆえに本考案は実用性に優れた考案であり、実用新案登録の要件に符合する。
【図面の簡単な説明】
【００２３】
【図１】本考案の分解斜視図である。
【図２】本考案の斜視図である。
【図３】本考案の受信機が入力装置に収納される前の側面断面図である。
【図４】本考案の受信機が入力装置に収納される前の正面断面図である。
【図５】本考案の受信機が入力装置に収納される前の平面断面図である。
【図６】本考案の受信機が入力装置に収納される時の側面断面図である。
【図７】本考案の受信機が入力装置に収納される時の正面断面図である。
【図８】本考案の受信機がソケットに挿入された後の平面断面図である。
【図９】本考案の受信機が入力装置に収納された後の側面断面図である。
【図１０】本考案の受信機が入力装置に収納された後の正面断面図である。
【図１１】本考案の好ましい実施例の斜視図である。
【図１２】本考案の別の好ましい実施例の斜視図である。
【図１３】周知の物品の斜視図である。
【符号の説明】
【００２４】
１　入力装置
１１　ベース　　　　　　　１２３　案内柱
１１１　第１収容空間　　　１３　係止部
１１１１　枢設孔　　　　　１３１　基部
１１１２　案内片　　　　　１３１１　係合部
１１２　第２収容空間　　　１３２　翼片
１１２１　穿孔　　　　　　１３２１　固定軸
１２　ソケット　　　　　　１３３　位置決め柱
１２１　挿入溝　　　　　　１４　命令入力部
１２１１　保持部　　　　　１４１　押しボタン
１２２　枢軸　　　　　　　１５　基板
１２２１　穿孔　　　　　　１５１　マイクロスイッチ
１２２２　切欠き
２　弾性手段
３　軸棒
４　弾性手段
５　受信機
５１　挿入部　　　　　　　５１１　凹溝
６　コンピュータ　　　　　６１　連接ポート
【図１】
0003100160.tif 000003
【図２】
0003100160.tif 000004
【図３】
0003100160.tif 000005
【図４】
0003100160.tif 000006
【図５】
0003100160.tif 000007
【図６】
0003100160.tif 000008
【図７】
0003100160.tif 000009
【図８】
0003100160.tif 000010
【図９】
0003100160.tif 000011
【図１０】
0003100160.tif 000012
【図１１】
0003100160.tif 000013
【図１２】
0003100160.tif 000014
【図１３】
0003100160.tif 000015